(57)【要約】      （修正有）【課題】地震や火災などの万一の災害時に学童の身を安全に守る防災頭巾などを収納したランドセルを提供する。【解決手段】難燃性と防水性を有する頭部保護用の防災頭巾３１と、防寒用の保温シートを、透明または半透明の合成樹脂フィルム材で形成した収納袋に収容すると共に、該収納袋を圧着密封（真空パック）して防災パックＸを形成し、該防災パックを、ランドセル本体２の任意個所に設けた収納部Ｙに出し入れ可能に収納して形成したことを特徴とする。【選択図】図５
0003121932.tif 000002
【実用新案登録請求の範囲】
【請求項１】
難燃性と防水性を有する頭部保護用の防災頭巾（３１）を、透明または半透明の合成樹脂フィルム材で形成した収納袋（１１）内に圧縮収納して形成した防災パック（Ｘ）と、
前記防災パック（Ｘ）をランドセル本体（２）の任意個所に設けた収納部（Ｙ）に出し入れ可能に収納したことを特徴とする防災具付きランドセル。
【請求項２】
前記防災パック（Ｘ）が、収納袋（１６）の開口部（１７）に密封可能なチャック部（１８）を設け、前記収納袋（１６）の表面または裏面のいずれか一面の任意個所に逆止弁（１９）を取付けて形成したことを特徴とする請求項１記載の防災具付きランドセル。
【請求項３】
前記防災パック（Ｘ）が、収納袋（２２）の表面または裏面のいずれか一面の任意個所に複数の面ファスナー（２４）を取付けて形成したことを特徴とする請求項１または２記載の防災具付きランドセル。
【請求項４】
前記防災パック（Ｘ）に、前記頭部保護用の防災頭巾（３１）と、保温性を有する簡易保温シート（３９）を圧縮収納（真空パック）したことを特徴とする請求項１ないし３のいずれか記載の防災具付きランドセル。
【請求項５】
前記防災パック（Ｘ）に収納した防災頭巾（３１）が、表面に夜間安全用の反射シート（３６）と、本人確認用の名札（３７）を取付けて形成したことを特徴とする請求項１ないし４のいずれか記載の防災具付きランドセル。
【請求項６】
前記収納部（Ｙ）が、ランドセル本体（２）を構成する主収容室（４）内に、上方に設けた開口部（４３）と、該開口部に開閉可能な蓋部（４５）を設けて形成した第１収納部（４１）で、該第１収納部内に、前記防災パック（Ｘ）を出し入れ可能に収容したことを特徴とする請求項１ないし５のいずれか記載の防災具付きランドセル。
【請求項７】
前記収納部（Ｙ）が、ランドセル本体（２）を構成する背板（３）の背中側に設けた第２収納部（５１）で、該第２収納部の左右いずれかまたは底面に前記防災パック（Ｘ）を出し入れする開口部（５２）を設け、該開口部に開閉可能なファスナー（５３）を取付けて形成したことを特徴とする請求項１ないし５のいずれか記載の防災具付きランドセル。
【請求項８】
前記収納部（Ｙ）が、ランドセル本体（２）を構成する蓋板（６）の裏面に、上方に設けた開口部（６２）に開閉可能な蓋部（６３）を設けて形成した第３収納部（６１）で、該第３収納部内に前記防災パック（Ｘ）を出し入れ可能に収容したことを特徴とする請求項１ないし５のいずれか記載の防災具付きランドセル。
【考案の詳細な説明】
【技術分野】
【０００１】
本考案は、地震や火災など、万一の災害時に学童の身を安全に守る防災グッズを収納したランドセルの改良に関する。
【背景技術】
【０００２】
従来より学童が登下校する途中や、在校中に生じる可能性がある万一の地震や火災などの災害から身を守るため、登下校する学童には防災頭巾の携帯が望ましい。
一方、防災頭巾は、頭部の安全性を図るため前面を開口した頭巾状で、両側を肩付近まで掛かる大きさに形成し、素材を難燃性と衝撃吸収性を有する綿材を一定の厚さに収容してキルティイング状に形成してある。
【０００３】
そのため、防災頭巾は嵩張り小さく折り畳むことが困難であるため、ランドセル内に防災頭巾を収容することが困難であった。そのため、防災頭巾にランドセル取付用の紐やゴムバンドを取付けてランドセルの背板や、蓋板の表面に取付けて持ち運んでいる。しかし、ランドセルの外側に防災頭巾を取付け持ち運ぶのは、通学途中で防災頭巾の紐が切れたり、紛失したりしやすいので不便で面倒である。
【０００４】
そこで、ランドセルにくくりつけた防災頭巾が登下校中に紛失するのを防止するため、ランドセルの背板下方に袋状に形成した収納部を設けたり、ランドセルの蓋板裏側に収納部を設けて防災頭巾を収容可能に形成したものが知られている（例えば、特許文献１、２参照）。
【特許文献１】実開昭５８−７７５２０号
【特許文献２】実開昭５８−７７５２１号
【０００５】
しかし、前記したごとく、防災頭巾は綿材を一定の厚さに敷いて形成してあるため、二つ折りや三つ折りにすると厚さがさらに厚くなり、通常サイズの防災頭巾を前記収納部に収納するためには、ランドセルの前後幅を厚くしる必要がある。ランドセル全体の前後幅を厚くすると、ランドセルの重心が安定せず背負うのに安定感が欠ける。そのため、低学年の生徒が前後幅の厚くなったランドセルを背負うことは困難で、登下校時における歩行が不安定になり危険である。さらには、ランドセルの前後幅が厚くなるのを防止するため、通常の大きさより小さいサイズの防災頭巾を収納すると、万一の災害時に児童の安全を確保するには十分でない。
【０００６】
さらには、地震や火災などの災害は、晴れた日に限らず雨の日や寒い冬の季節に起こる場合も想定し、ランドセルの蓋板を着脱可能に形成し、該蓋板の裏側に頭巾と前身頃と袖とを備えた防災衣服を取付けたランドセルが知られている（例えば、特許文献３参照）。
【特許文献３】実用第３０１７７１８号
【０００７】
このランドセルの蓋板に取付けた防災衣服は、身体を覆うことはできるので雨に濡れるのを防止することはできるが、この防災衣服は背中部分に蓋板を取付けたままであるため着用しずらく、また、防災頭巾としての安全性に問題があり、緊急避難時における児童の安全保護が十分でない場合があるなど多くの問題点を有している。
【考案の開示】
【考案が解決しようとする課題】
【０００８】
そこで、通常サイズの防災頭巾を含めた防災グッズを収納した防災パックを、従来のランドセルとほぼ同じ大きさのランドセル内に収容することにより、ランドセルが背負いやすく、且つ万一の地震や火災などの災害が発生したときにはランドセル内の防災パックから防災頭巾を取り出して被ることにより緊急避難する児童の身の安全を確保する。
【課題を解決するための手段】
【０００９】
そこで本考案は、難燃性と防水性を有する頭部保護用の防災頭巾３１を、透明または半透明の合成樹脂フィルム材で形成した収納袋１１内に圧縮収納して形成した防災パックＸと、前記防災パックＸをランドセル本体２の任意個所に設けた収納部Ｙに出し入れ可能に収納したことを特徴とする。また、前記防災パックＸが、収納袋１６の開口部１７に密封可能なチャック部１８を設け、前記収納袋の表面または裏面のいずれか一面の任意個所に逆止弁１９を取付けて形成したことを特徴とする。さらには、前記防災パックＸが、収納袋２２の表面または裏面のいずれか一面の任意個所に複数の面ファスナー２４を取付けて形成したことを特徴とする。さらにはまた、前記防災パックＸに、前記頭部保護用の防災頭巾３１と、保温性を有する簡易保温シート３９を圧縮収納（真空パック）したことを特徴とする。また、前記防災パックＸに収納した防災頭巾３１が、表面に夜間安全用の反射シート３６と、本人確認用の名札３７を取付けて形成したことを特徴とする。さらには、前記収納部Ｙが、ランドセル本体２を構成する主収容室４内で、上方に設けた開口部４２と、該開口部に開閉可能な蓋部４３を取付けて形成した第１収納部４１で、該第１収納部内に、前記防災パックＸを出し入れ可能に収容したことを特徴とする。さらにはまた、前記収納部Ｙが、ランドセル本体２を構成する背板３の背中側に設けた第２収納部５１で、該第２収納部の左右いずれかまたは底面に前記防災パック１０を出し入れする開口部５２と、該開口部５２に開閉可能なファスナー５３を取付けて形成したことを特徴とする。また、前記収納部Ｙが、ランドセル本体２を構成する蓋板６の裏面に、上方に設けた開口部６２と、該開口部に開閉可能な蓋部６３を設けて形成した第３収納部６１で、該第３収納部内に前記防災パックＸを出し入れ可能に収容したことを特徴とする。
【００１０】
したがって、防災頭巾３１を圧縮（真空パック）収納して厚さを薄くして形成した防災パックＸを、通常型のランドセルに取付けた収納部Ｙに出し入れ可能に収納することにより、防災頭巾が嵩張らずに収納することができ、また、ランドセルの前後幅を厚くする必要がないので、背負う児童の負担が少なく快適に背負うことができる。また、万一災害が発生した場合は、防災パックＸの袋を破るだけで簡単にもとの大きさの防災頭巾に復元させて使用することができるので児童の身の安全を守ることができる。さらには、防災パック内に防災頭巾と共に保温シートを収納することにより、避難時において、保温シートをかぶるだけで雨天や夜間の冷え込みなどから寒さを防ぐことができ、避難時於ける寒さからくる児童の不安感を防止することができる。
【考案を実施するための最良の形態】
【００１１】
本考案の実施の形態を図面により説明すると、図１は防災頭巾の斜視図、図２は防災頭巾と保温シートを収容した第１防災パックの一部破断した斜視図、図３は第２防災パックの斜視図、図４は第３防災パックの斜視図、図５はランドセル本体の主収容部に第１収納部を取付けた第１の実施形態を示す一部破断した側面図、図６はランドセル本体の主収容室に設けた第１収納部に防災パックを収納する状態を示す一部破断した斜視図、図７はランドセル本体の背板に第２収納部を取付けた第２の実施形態を示す一部破断した側面図、図８はランドセル本体の蓋板に第３収納部を取付けた第３の実施形態を示す一部破断した側面図である。本考案に係るランドセル１は、図５から８に示すごとく、ランドセル本体２の任意個所に収納部Ｙ（４１、５１、６１）を設け、該収納部に防災頭巾、または防災頭巾と保温シートを圧縮収納（真空パック）した防災パックＸ（１０、１５、２０）を出し入れ可能に収納して形成してある。
【００１２】
図２は、防災パックＸの第１の実施形態を示す第１防災パック１０で、透明または半透明の合成樹脂シートからなる収納袋１１、例えば、二重にしたポリエチレン樹脂シートの三方を溶着し、一方に開口部１２を設けて形成してある。この収納袋１１の開口部１２から、防災頭巾３１または防災頭巾３１と保温シート３９を収容した後、収納袋１１を圧縮（真空パック）した後、前記開口部１２を密封して形成する。
【００１３】
したがって、防災頭巾３１の厚さを圧縮して薄く形成したことにより、通常のランドセルに設けた収納スペースに収納することができる。
【００１４】
図３は、防災パックＸの第２の実施形態を示す第２防災パック１５で、収納袋１６を透明または半透明の合成樹脂シート（例えばポリエチレン樹脂シート）の三方を溶着して形成し、該収納袋の開口部１７に開閉可能な密封チャック１８を設け、前記収納袋１６の表面または裏面のいずれか一面の任意個所に逆止弁１９を取付けて形成してある。
【００１５】
次いで、この収納袋１６の開口部１７から、防災頭巾３１または防災頭巾３１と保温シート３９を収容した後、収納袋１６の開口部１７を密封チャック１８で閉じて密封した後、逆止弁１９から公知の吸引装置（例えば、掃除機など）を使用して内部の空気を抜き、防災頭巾を圧縮密封して形成してある。したがって、防災頭巾３１の厚さを圧縮して薄く形成したことにより、通常のランドセルに設けた収納スペースに収納することができる。
【００１６】
図４は、防災パックＸの第３の実施形態を示す第３防災パック２１で、二重に合わせた透明または半透明の合成樹脂シート（例えばポリエチレン樹脂シート）の三方を溶着して一方に開口部２３を設けて収納袋２２を形成し、前記収納袋２２の表面または裏面の任意個所に複数の面ファスナ２４を取付けて形成してある。
【００１７】
次いで、この収納袋２２の開口部２３から、防災頭巾３１または防災頭巾３１と保温シート３９を収容した後、収納袋２２を圧縮（真空パック）して内部の空気を抜き開口部２３を密封して形成する。前記面ファスナ２４は、前記第１、２防災パック１０、１５の収納袋１１、１６の表面または裏面に取付けても良い。
【００１８】
前記したごとく、前記第１、２、３防災パックＸ（１０、１５、２１）は、それぞれ収納袋内の空気を抜いて圧縮（真空パック）密封したことにより、収納された防災頭巾と保温シートの厚さが通常の厚さの約四分の一程度に圧縮することができるため、そのまま教科書やノートなどと同じようにランドセルに収納してもよい。
【００１９】
前記第１、２、３防災パックＸに収納する防災頭巾３１は、市販されている公知の防災頭巾でも良いが、図１に示すごとく、防火性、防水性と衝撃吸収性を備えた防災頭巾３１を使用し、好ましくは、表地３２をアクリル１００％の難燃性生地を使用し、中綿３３には、難燃性を有するポリエステル綿を使用し、裏地３４には肌触りの良い綿生地を使用して形成する。
【００２０】
さらにこの防災頭巾３１の表面には、夜間安全用の反射テープ３６と、本人確認用の名札３７を取付け、名札には、名前、血液型、連絡先、学校、年組などを記入する。さらに防災頭巾３１の両側面耳部には、多数の小孔（図示せず）を設けて避難時の声が良く聞こえるようにしても良い。
【００２１】
保温シート３９は、身体の体温を逃がさず保温性に優れた新素材からなる軽くて薄いフイルム材からなり、例えば、アルミ蒸着ポリエステルシートを使用し、大きさは大人を包み込めるほどの大きさ、例えば、１３５ｃｍ×２１０ｃｍに形成する。保温シート３９の大きさは、子供のサイズに合わせて小さい１０７ｃｍ×１７０ｃｍのサイズでも良い。
【００２２】
図５は、前記収納部Ｙの第１の実施形態を示す第１収納部４１で、ランドセル本体２の主収容室４内で、背板側に前記防災パックＸを収納することができる幅に仕切壁４２を設けて形成し、前記第１収納部４１の上端に設けた開口部４３には、該第１収納部に収容した防災パックＸの脱落防止と、普段は目に付かないようにするため開閉可能な蓋部４５を取付け、該蓋部には面ファスナーやホックなどからなる蓋止部４６を設けてある。
【００２３】
ランドセル本体２の主収容室４は、主に教科書やノートまたは筆箱などを収容するものであるが、通常、主収容室４に教科書やノートを収容してもかなり余分なスペースがあり、該スペースを利用して前記第１収納部４１を取付け、該第１収納部内の上方に設けた開口部４３から防災パックＸを出し入れ可能に形成してある。
【００２４】
したがって、第１収納部４１は、ランドセルの蓋板６を開けて主収容室４から教科書やノートまたは筆箱などを出し入れしても目立たず邪魔にならないので便利である。また、緊急時には、ランドセル１の蓋板６を開け、主収容室４内の第１収納部４１に設けた蓋部４３開けるだけで簡単に取り出して防災頭巾３１を被ることにより、学童の身の安全を図ることができる。
【００２５】
図７は、前記収納部Ｙの第２の実施形態を示す第２収納部５１で、ランドセル本体２を構成する背板３のクッション収納部の替わりに前記防災パックＸを収納する第２収納部５１を設け、該第２収納部の一側（マチ部）には前記防災パックＸを出し入れする開口部５２を設け、該開口部をファスナー５３で開閉可能に形成してある。
【００２６】
前記防災パックＸは、防災頭巾３１や保温シート３９を圧縮収納してあるため、厚さはクッション材を収納して形成した場合とほぼ同じ厚さに形成すことができるので、ランドセル全体の前後幅を通常のランドセルほぼ同じにように形成することができる。したがって、児童がランドセルを背負うときにかかる負担が少なく快適に背負うことができる。万一の緊急時には、背板３の背中側のマチ部分に設けたファスナー５３を開けるだけで簡単に防災パックＸを取り出して使用することができる。
【００２７】
背板３の第２収納部５１内に収容した防災パックＸは、防災頭巾３１や保温シート３９を圧縮収納してあるため、表面がやや固くランドセルを背負ったときに違和感がある場合がある。その場合は、防災パックＸと表地との間に薄いクッション材を介在させて形成しても良い。前記第２収納部５１の側面に設けた開口部５２の開閉部材は、前記ファスナー５３に限らず、面ファスナ、ボタンまたはホックなどを取付けても良い。
【００２８】
図８は、前記収納部Ｙの第３の実施形態を示す第３収納部６１で、ランドセル本体２を構成する蓋板６の裏面に取付けて形成してある。この第３収納部６１は、蓋板６の上方背板側に開口部６２を設け、該開口部には、収納した防災パックが脱落するのを防止する蓋部６３を取付けてある。
【００２９】
前記蓋部６３には、面ファスナーやホックなどからなる蓋止部６４を設け、普段は第３収納部６１の開口部６２を蓋部６３で閉口し、第３収納部６１に収納した防災パックＸが目立たないようにすると共に蓋板６２を開いたとき、第３収納部６１内の防災パックＸが脱落するのを防止してある。
【００３０】
防災パックＸを蓋板６の裏面に取付けた第３収納部６１に収納したことにより、ランドセルの前後幅を通常のランドセルと変わらない形状に形成することができるので、ランドセルを背負う児童の負担が少なく快適に背負うことができ、また万一の緊急時には、背板の裏面に設けた第３収納部６１の蓋部６４を開けるだけで簡単に防災パックを取り出して使用することができる。
【００３１】
前記した防災パックＸのうち、第３防災パック２１は、収納袋２１の表面または裏面の任意個所に複数の面ファスナ２３を取付けて形成したもので、ランドセル本体２に収納部Ｙを設けることなく、ランドセル本体２の主収容室４または副収納室５さらには蓋板６の裏面にそれぞれ面ファスナー（図示せず）を取付けることにより、第３防災パック２１の面ファスナー２４と着脱可能に装着することができるので、安価で簡単に取付けることができ便利である。さらには、面ファスナ２３は、第１、２防災パック１０、１５に装着して使用することのできるのは勿論である。
【図面の簡単な説明】
【００３２】
【図１】防災頭巾の斜視図である。
【図２】防災頭巾と保温シートを収容した第１防災パックの一部破断した斜視図である。
【図３】第２防災パックの斜視図である。
【図４】第３防災パックの斜視図である。
【図５】ランドセル本体の主収容室に第１収納部を取付けた第１の実施形態を示す断面図である。
【図６】ランドセル本体の主収容室に設けた第１収納部に防災パックを収納する状態を示す斜視図である。
【図７】ランドセル本体の背板に第２収納部を取付けた第２の実施形態を示す一部破断した側面図である。
【図８】ランドセル本体の蓋板に第３収納部を取付けた第３の実施形態を示す一部破断した側面図である。
【符号の説明】
【００３３】
１    ランドセル
２    ランドセル本体
３    背板
４    主収容室
５    副収容室
６    蓋板
１０    第１防災パック
１１    収納袋
１２    開口部
１５    第２防災パック
１６    収納袋
１７    開口部
１８    密封チャック
１９    逆止弁
２０    第３防災パック
２１    収納袋
２３    開口部
２５    面ファスナー
３１    防災頭巾
３６    反射テープ
３８    名札
３９    保温シート
４１    第１収納部
４３    開口部
４５    蓋部
４６    蓋止部
５１    第２収納部
５２    開口部
５３    ファスナー
６１    第３収納部
６２    開口部
６３    蓋部
６４    蓋止部
Ｘ    第１、２、３防災パック
Ｙ    第１、２、３収納部
【図１】
0003121932.tif 000003
【図２】
0003121932.tif 000004
【図３】
0003121932.tif 000005
【図４】
0003121932.tif 000006
【図５】
0003121932.tif 000007
【図６】
0003121932.tif 000008
【図７】
0003121932.tif 000009
【図８】
0003121932.tif 000010